(57)【要約】【課題】色補正の精度が向上する画像表示プログラム及び画像表示システムを提供すること。【解決手段】未処理画像の画像データを入力する画像入力手段と、該画像入力手段において入力された未処理画像を処理対象画像として処理済みの比較画像と近接して表示する表示手段と、該表示手段に表示された処理対象画像の色補正を行うための色補正手段とを有することを特徴とする画像表示システム及び該画像表示システムを制御する手段としてコンピュータを機能させるための画像表示プログラム。【選択図】        図１
2005038061.tif 000002
【特許請求の範囲】
【請求項１】
未処理画像の画像データを入力する画像入力手段と、該画像入力手段において入力された未処理画像を処理対象画像として処理済みの比較画像と近接して表示する表示手段と、該表示手段に表示された処理対象画像の色補正を行うための色補正手段とを有することを特徴とする画像表示システム。
【請求項２】
前記画像入力手段において入力された未処理画像の画像データを記憶する記憶手段と、該記憶手段に記憶された未処理画像の画像データから処理対象とする画像データを選定する選定手段とを有し、
前記表示手段は、該選定手段において選定された画像データに基づいて処理対象画像を表示することを特徴とする請求項１記載の画像表示システム
【請求項３】
処理済みの比較画像の複数の画像データを記憶する記憶手段と、前記記憶手段に記憶された比較画像の画像データから前記表示手段において表示する比較画像の画像データを選択する選択手段とを有し、
前記表示手段は、該選択手段において選択された画像データに基づいて比較画像を表示することを特徴とする請求項１記載の画像表示システム。
【請求項４】
前記画像入力手段において入力された未処理画像の画像データと処理済みの比較画像の複数の画像データを記憶する記憶手段と、該記憶手段に記憶された未処理画像の画像データから処理対象とする画像データを選定する選定手段と、前記記憶手段に記憶された比較画像の画像データから前記表示手段において表示する比較画像の画像データを選択する選択手段とを有し、
前記表示手段は、該選定手段において選定された画像データに基づいて処理対象画像を表示し、該選択手段において選択された画像データに基づいて比較画像を表示することを特徴とする請求項１記載の画像表示システム。
【請求項５】
前記表示手段において表示される処理対象画像と比較画像の大きさ及び／又は位置を変更するための変更手段を有し、
前記表示手段は、該変更手段における変更に基づいて大きさ及び／又は位置を変更して表示することを特徴とする請求項１、２、３又は４記載の画像表示システム。
【請求項６】
コンピュータを、未処理画像の画像データを入力する画像入力手段において入力された未処理画像を処理対象画像として処理済みの比較画像と近接して表示手段上に表示させる手段と、該表示手段に表示された処理対象画像の色補正を受け付けた色補正の処理を行う色補正手段として機能させることを特徴とする画像表示プログラム。
【請求項７】
コンピュータを、前記画像入力手段において入力された未処理画像の画像データを記憶する記憶手段に記憶された未処理画像の画像データから処理対象とする画像データを選定する選定手段として機能させることを特徴とする請求項６記載の画像表示プログラム
【請求項８】
コンピュータを、処理済みの比較画像の複数の画像データを記憶する記憶手段に記憶された比較画像の画像データから前記表示手段において表示する比較画像の画像データを選択する選択手段として機能させることを特徴とする請求項６記載の画像表示プログラム。
【請求項９】
コンピュータを、前記画像入力手段において入力された未処理画像の画像データと処理済みの比較画像の複数の画像データを記憶する記憶手段に記憶された未処理画像の画像データから処理対象とする画像データを選定する選定手段と、前記記憶手段に記憶された比較画像の画像データから前記表示手段において表示する比較画像の画像データを選択する選択手段として機能させることを特徴とする請求項６記載の画像表示プログラム。
【請求項１０】
コンピュータを、前記表示手段において表示される処理対象画像と比較画像の大きさ及び／又は位置を変更させるための変更手段として機能させることを特徴とする請求項６、７、８又は９記載の画像表示プログラム。
【発明の詳細な説明】
【０００１】
【発明の属する技術分野】
本発明は、画像表示システム及び画像表示プログラムに関し、詳しくはモニタージャッジの精度が向上する画像表示プログラム及び画像表示システムに関する。
【０００２】
【従来の技術】
従来、複数の画像を取り込んでモニター表示した後、各画像の色補正（モニタージャッジ）を行う場合、図７に示すように、色補正を行う対象画像と、基準となるリファレンス画像が離れて表示されていた。図７において、５０はモニターであり、該モニター５０には、図示しない入力手段によって取り込んだ画像を表示する表示画面５１が複数設けられている。図示の例では９画面が表示されている。５２はリファレンス画像（色処理済の画像）を表示したリファレンス画面である。９画面に表示された画像の各々について色補正を行う場合、各画像の表示画面とリファレンス画面を対比する。Ｙ、Ｍ、Ｃ、Ｄの色濃度を対比した結果、異なっていた場合には、色補正を行う。
【０００３】
しかし、図示のように、対象画像とリファレンス画像が離れて表示されていると、色補正が難しく、色補正精度が劣る欠点がある。
【０００４】
【発明が解決しようとする課題】
そこで、本発明は、色補正の精度が向上する画像表示プログラム及び画像表示システムを提供することを課題とする。
【０００５】
【課題を解決するための手段】
上記課題は以下の各発明によって解決される。
【０００６】
（請求項１）未処理画像の画像データを入力する画像入力手段と、該画像入力手段において入力された未処理画像を処理対象画像として処理済みの比較画像と近接して表示する表示手段と、該表示手段に表示された処理対象画像の色補正を行うための色補正手段とを有することを特徴とする画像表示システム。
【０００７】
（請求項２）前記画像入力手段において入力された未処理画像の画像データを記憶する記憶手段と、該記憶手段に記憶された未処理画像の画像データから処理対象とする画像データを選定する選定手段とを有し、
前記表示手段は、該選定手段において選定された画像データに基づいて処理対象画像を表示することを特徴とする請求項１記載の画像表示システム
（請求項３）処理済みの比較画像の複数の画像データを記憶する記憶手段と、前記記憶手段に記憶された比較画像の画像データから前記表示手段において表示する比較画像の画像データを選択する選択手段とを有し、
前記表示手段は、該選択手段において選択された画像データに基づいて比較画像を表示することを特徴とする請求項１記載の画像表示システム。
【０００８】
（請求項４）前記画像入力手段において入力された未処理画像の画像データと処理済みの比較画像の複数の画像データを記憶する記憶手段と、該記憶手段に記憶された未処理画像の画像データから処理対象とする画像データを選定する選定手段と、前記記憶手段に記憶された比較画像の画像データから前記表示手段において表示する比較画像の画像データを選択する選択手段とを有し、
前記表示手段は、該選定手段において選定された画像データに基づいて処理対象画像を表示し、該選択手段において選択された画像データに基づいて比較画像を表示することを特徴とする請求項１記載の画像表示システム。
【０００９】
（請求項５）前記表示手段において表示される処理対象画像と比較画像の大きさ及び／又は位置を変更するための変更手段を有し、
前記表示手段は、該変更手段における変更に基づいて大きさ及び／又は位置を変更して表示することを特徴とする請求項１、２、３又は４記載の画像表示システム。
【００１０】
（請求項６）コンピュータを、未処理画像の画像データを入力する画像入力手段において入力された未処理画像を処理対象画像として処理済みの比較画像と近接して表示手段上に表示させる手段と、該表示手段に表示された処理対象画像の色補正を受け付けた色補正の処理を行う色補正手段として機能させることを特徴とする画像表示プログラム。
【００１１】
（請求項７）コンピュータを、前記画像入力手段において入力された未処理画像の画像データを記憶する記憶手段に記憶された未処理画像の画像データから処理対象とする画像データを選定する選定手段として機能させることを特徴とする請求項６記載の画像表示プログラム
（請求項８）コンピュータを、処理済みの比較画像の複数の画像データを記憶する記憶手段に記憶された比較画像の画像データから前記表示手段において表示する比較画像の画像データを選択する選択手段として機能させることを特徴とする請求項６記載の画像表示プログラム。
【００１２】
（請求項９）コンピュータを、前記画像入力手段において入力された未処理画像の画像データと処理済みの比較画像の複数の画像データを記憶する記憶手段に記憶された未処理画像の画像データから処理対象とする画像データを選定する選定手段と、前記記憶手段に記憶された比較画像の画像データから前記表示手段において表示する比較画像の画像データを選択する選択手段として機能させることを特徴とする請求項６記載の画像表示プログラム。
【００１３】
（請求項１０）コンピュータを、前記表示手段において表示される処理対象画像と比較画像の大きさ及び／又は位置を変更させるための変更手段として機能させることを特徴とする請求項６、７、８又は９記載の画像表示プログラム。
【００１４】
【発明の実施の形態】
以下、本発明の実施の形態について図面を参照して説明する。
【００１５】
図１は、本発明の画像表示プログラムの処理を実現する画像表示システムの概略構成の一例を示す図である。
【００１６】
図１において、本発明の画像表示システムは、各種処理を行うコンピュータ１００、画像の入力を行うスキャナ２００、画像の表示を行う表示手段としてのモニタ３００、各種入力を行うキーボード４００及びマウス５００により構成されている。
【００１７】
コンピュータ１００は本発明の画像表示プログラムをインストールすることにより、スキャナ２００、モニタ３００、キーボード４００及びマウス５００を制御しつつ各種処理を行う。
【００１８】
スキャナ２００は、未処理画像の画像データを入力する。具体的には、色補正したい画像が記録された原稿をスキャンして画像データを生成する。生成した画像データはコンピュータ１００に送信される。
【００１９】
モニタ３００は、コンピュータ１００の制御に基づいてスキャナ２００等において入力された未処理画像を処理対象画像として処理済みの比較画像と近接して表示する。モニタ３００は、必要に応じてタッチパネルの機能を持ち、入力装置を兼ねることもできる。
【００２０】
キーボード４００及びマウス５００は、処理対象の画像を選定する選定処理、色補正を行う色補正処理等において、必要に応じてユーザが入力するための装置として用いられる。
【００２１】
また、本発明の画像表示システムにおいてコンピュータ１００は図示しない通信手段によって外部装置とデータの送受をすることができることが好ましい。通信手段は、有線と無線のいずれでもよく、インターネット、ＬＡＮ、専用の通信回線等、その形態は問わない。
【００２２】
図２は画像表示システムに用いられるコンピュータ１００のブロック図である。
【００２３】
コンピュータ１００は、画像表示システムの各部を制御するメイン制御部１と、プログラムを格納したり各種データを記憶したりする主記憶部２と、画像の入力を受け付ける画像入力部３と、表示手段の表示を制御する表示制御部４と、ユーザの操作入力を受け付ける操作入力部５と、選定処理を行う選定処理部６と、色補正処理を行う色補正処理部７と、変更処理を行う変更処理部８と、選択処理を行う選択処理部９と、外部装置とのデータの送受を行うための外部通信部１０とを備えている。
【００２４】
未処理画像というのは、本発明において画像処理の対象となる画像であり、１つでもよいし、複数でもよい。また処理済みの比較画像というのはリファレンス画像であり、後述の色補正の基準となる画像である。
【００２５】
また、図２のコンピュータ１００において、選定処理部６、選択処理部９は好ましく設けられる構成であり、その構成において３つの好ましい態様がある。
【００２６】
第１の好ましい態様は、画像入力手段において入力された未処理画像の画像データを記憶した記憶手段の未処理画像の画像データから処理対象とする画像データを選定する選定処理部６で選定処理し、選定された画像データに基づいて処理対象画像を表示手段上に表示する態様である。
【００２７】
この態様は、入力された未処理画像の画像データを記憶する記憶手段があるので、複数の未処理画像が有る場合の処理に効果的である。また記憶された画像データの中から処理対象とする画像データを選定する選定処理部６があるので、優先的に処理対象画像を選定でき、証明写真の場合には至急証明写真を必要な人の希望をかなえることができる。
【００２８】
第２の好ましい態様は、処理済みの比較画像の複数の画像データを記憶する記憶手段に記憶された比較画像の画像データから表示する比較画像の画像データを選択する選択処理部９で選択処理し、選択された画像データに基づいて表示手段上に比較画像を表示する態様である。
【００２９】
この態様は、前記記憶手段に記憶された比較画像の画像データから前記表示手段において表示する比較画像の画像データを選択する選択処理部９があるので、例えば処理対象画像が証明写真のような場合は、比較画像としてそれに関連する証明写真を選択することができ、また処理対象画像が風景写真のような場合はやはりそれと関連する風景写真を比較画像として選択することができる。このように比較画像が処理対象画像と関連する画像から選択されるようにすると、色補正が容易になる。このように関連する比較画像を選定する選択処理部９を実現するには、その前提として予め複数の比較画像を記憶手段に保存しておくことが好ましい。
【００３０】
第３の好ましい態様は、前記画像入力手段において入力された未処理画像の画像データと処理済みの比較画像の複数の画像データを記憶する記憶手段に記憶された未処理画像の画像データから処理対象とする画像データを選定する選定処理部６で選定し、記憶された比較画像の画像データから表示する比較画像の画像データを選択する選択処理部９で選択し、選定された画像データに基づいて処理対象画像を表示し、選択された画像データに基づいて比較画像を表示手段上に表示する態様である。
【００３１】
この態様は、第１の好ましい態様の効果と第２の好ましい態様の効果とを併せた効果を有する。
【００３２】
また、図２のコンピュータ１００において変更処理部８を設けることは更に好ましい態様である。
【００３３】
このとき、前記表示手段上に表示される処理対象画像と比較画像の大きさ及び／又は位置を変更する変更処理部８で変更処理し、変更に基づいて大きさ及び／又は位置を変更して表示手段上に表示する。変更処理部８を設けて調整して対比できるようにすれば、色補正精度が向上する効果がある。
【００３４】
次に、本発明の画像表示プログラムによって制御されて実現する画像表示システムの動作について以下詳細に説明する。
【００３５】
図３は、本発明の画像表示プログラムによって制御される図１の画像表示システムの処理フローを示す図である。
【００３６】
図３において、画像入力手段で処理画像の画像データを入力する（Ｓ１）。
【００３７】
画像データの入力のトリガーとしては、図示しないキーボードやマウス等の入力手段によりユーザが入力した画像データを入力する旨の指示を受け付けたこと、あるいはコンピュータの図示しない制御部（本発明の画像表示プログラムが処理されることによって実現する）が自動的に所定のタイミングと判断したことがトリガーとなる。
【００３８】
画像データの入力は、画像入力部３において制御部の制御に基づいて画像データを取得することによりなされる。具体的には、上記のいずれかのトリガーがあったと判断されたときに、スキャナ２００から原稿をスキャンすることによって生成した画像データを取得したり、画像データを記録した例えばコンパクトフラッシュ（登録商標）、スマートメディア、メモリースティック（登録商標）、マルチメディアカード、ＳＤメモリーカード、フレキシブルディスク、ＭＯ、ＣＤ−Ｒ等の外部記録媒体から又は外部通信部１０を介して画像データを取得する。
【００３９】
次いで、記憶手段で入力された未処理画像の画像データを記憶する（Ｓ２）。
【００４０】
画像データの記憶は、前記画像入力手段において画像データが入力されると、制御部が、記憶手段に当該画像データを記憶させる。具体的には、ＲＡＭ、ハードディスク等の主記憶部２に入力された画像データが記憶される。図２のコンピュータ１００においては、内部に備えられた主記憶部２が記憶手段として機能する構成を例に挙げて説明しているが、記憶手段はコンピュータ読み書き可能なＣＤ−Ｒ、ＭＯ等の記録媒体であってもよい。画像データが記録される記録媒体は、後述する色補正の処理がスムーズに行われるためには、コンピュータの制御部がアクセスしやすい理由でＲＡＭやハードディスクであることが好ましい。
【００４１】
Ｓ１及びＳ２の処理が終わると、色補正を開始するか否かが判断される（Ｓ３）。
【００４２】
色補正を開始するか否かの判断は、キーボード４００やマウス５００等の入力手段によりユーザの入力を受け付けることによって行う方法と、制御部の判断により自動的に色補正を開始すると判断する方法がある。
【００４３】
自動的に判断する基準としては、例えば、所定の数又は容量の画像データが入力されたこと、又はＳ２の処理の後の所定時間内に次のＳ１の入力が行われないことを基準として判断することができるが、その基準は特に限定されない。
【００４４】
色補正を開始されると、選定手段で記憶手段に記憶された未処理画像の画像データから表示手段に処理対象画像として表示される画像データを選定する（Ｓ４）。
【００４５】
選定手段により処理対象画像として選定された画像データは、色補正を行う画像データとして特定される。
【００４６】
この画像を選定する方法としては、オペレータにより任意に色補正を行う対象の画像の指定を受け付けて選定処理部６により選定処理を行い特定する方法と、プログラムにより自動的に選定処理部６による選定処理を行って特定する方法とがある。
【００４７】
前者の場合は、表示手段に未処理画像を１つずつ又は複数ずつ順次モニタ３００に表示して、オペレータが指定できるようにしてもよい。この指定を行うために、インターフェースとしてモニタ３００をタッチパネルにして指定可能なようにして利用してもよいし、またモニタ上に画像指定用のボタンを表示し、キーボードやマウス等を利用してこのボタンを選択することにより指定可能なようにしてもよい。しかしながら、これらに限られることはない。
【００４８】
また、後者の場合は、色補正を行う対象の画像はプログラムにより自動的に指定され特定される。
【００４９】
Ｓ４で選定手段による選定が処理されると、比較画像の画像データを選択手段を用いて選択する（Ｓ５）。
【００５０】
選択手段を用いた比較画像の画像データの選択は、オペレータにより任意に比較画像の指定を受け付けて選択処理部９により選択処理を行い特定する方法と、プログラムにより自動的に選択処理部９による選択処理を行って特定する方法とがある。
【００５１】
前者の場合は、モニタ３００に比較画像を１つずつ又は複数ずつ順次表示して、オペレータが指定できるようにしてもよい。この指定を行うために、インターフェースとしてモニタ３００をタッチパネルにして指定可能なようにして利用してもよいし、またモニタ３００上に画像選択用のボタンを表示し、キーボード４００やマウス５００等の利用してこのボタンを選択することにより指定可能なようにしてもよい。しかしながら、これらに限られることはない。
【００５２】
また、後者の場合は、比較画像はプログラムにより自動的に指定され特定される。自動的に指定する場合、処理対象画像との関連する比較画像が指定されることが好ましい。具体的には、例えば処理対象画像が証明写真のような場合は、比較画像としてそれに関連する証明写真を選択することができ、また例えば処理対象画像が風景写真のような場合はやはりそれと関連する風景写真を比較画像として選択することができる。
【００５３】
表示手段により、該画像入力手段において入力された未処理画像を処理対象画像として処理済みの比較画像と近接して表示する（Ｓ６）。
【００５４】
表示制御部５は、選定処理部６により色補正を行う対象の画像がどの画像であるかが特定されると、この情報に基づき、表示手段としてのモニタ３００に色補正の対象となる未処理画像を処理対象画像と分かるように表示し、選択処理部９により比較画像がどの画像であるかが特定されると、この情報に基づき、表示手段としてのモニタ３００に比較画像をそれと分かるように表示させる。
【００５５】
表示手段としてのモニタ３００における表示を、例えば図４（ａ）に示す比較画像が表示される比較画像として選択され、図４（ｂ）に示す未処理画像が処理対象画像として選定された場合について説明する。具体的には、図５に示すように、モニタ３００上に比較画像３０１の一部（顔の左半分）と処理対象画像３０２の一部（顔の右半分）とを近接して表示する。又は図６に示すように、処理対象画像３０２の一部分に比較画像３０１を近接して表示することができる。図５に示す表示態様の方が、比較画像３０１と処理対象画像３０２の間で画像の連続性があるので色補正の際に画像を比較しやすくなるので好ましい。
【００５６】
処理対象画像と比較画像の配置は、図示に限定されず、１画面内であれば、上下に配置されてよいし、２重円状に配置されてもよく、近接していればよい。
【００５７】
また対象画像と比較画像を左右に配置する場合、比較画像の位置が離れている場合は、色補正が難しいので、その場合には、両方の画像の位置を近づけるように変更手段で位置変更するように調整して対比できるようにすれば、色補正精度が向上する。
【００５８】
変更手段での変更は、例えば、オペレータの入力をキーボード４００、マウス５００等の入力装置で受け付けてそれに基づいて変更処理部１０によって変更処理されて変更される。
【００５９】
画像の位置を調整する場合、対象画像とリファレンス画像のいずれか一方の画像の位置を調整すればよいが、両方とも変更可能とすれば自由度が増し、色補正精度がより向上する。
【００６０】
次に、色補正手段により表示手段に表示された処理対象画像の色補正を行う（Ｓ７）。
【００６１】
色補正手段は、例えば、図５及び図６に示すようにモニタ３００上に色補正ボタン３０３として表示して、該補正ボタンのいずれかをキーボード又はマウス等の入力手段を用いて選択することによって補正を受け付けることができる。図５及び図６においては、Ｙ調整ボタン３０３ａ、Ｍ調整ボタン３０３ｂ、Ｃ調整ボタン３０３ｃ、Ｄ調整ボタン３０３ｄ、色補正終了ボタン３０３ｅによって色補正ボタン３０３が構成されている。Ｙ調整ボタン３０３ａ、Ｍ調整ボタン３０３ｂ、Ｃ調整ボタン３０３ｃ、Ｄ調整ボタン３０３ｄは、画像データのＹ色成分、Ｍ色成分、Ｃ色成分、Ｄ色成分をそれぞれ色補正する場合に選択される。また、色補正終了ボタン３０３ｅは、色補正をしない場合、色補正が終了した場合に選択される。
【００６２】
メイン制御部１は、該色補正ボタン３０３を選択することによって色補正内容が操作入力部５から入力されると、入力された色補正内容に基づいて色補正処理部７に処理対象画像の色補正の処理をさせる。
【００６３】
本発明においては、色濃度補正処理以外に、必要により、コントラスト補正処理、シャープネス処理、ノイズ処理、階調処理なども行うことができる。
【００６４】
本発明により未処理画像を処理した後、処理済み画像データを生成し、プリントを得ることができる。プリント手段は、特に限定されず、レーザープリント、インクジェット、印画紙プリントなどのいずれの手段であってもよい。
【００６５】
尚、上記の態様では、メイン制御部１と表示制御部４、選定処理部６、色補正処理部７、変更処理部８、選択処理部９とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【００６６】
本発明のプログラムは、集配ラボなどのコンピュータにインストールしたりして実施可能になるが、インストールする手段は本発明のプログラムを記憶保存してなる記録媒体を介して行ってもよいし、あるいはネット経由でプログラムをダウンロードしてもよい。
【００６７】
以上の処理フローの実施例においては、選定処理が選択処理の前に行われる態様を例を挙げて説明したが、選定処理が選択処理の後に行われてもよい。選定処理が選択処理の前に行われる方が、色補正を行う画像により近い比較画像を選択処理で選択できるので好ましい。また、選定処理と選択処理は必須の構成ではなく、どちらか一方の処理又は両方の処理がない態様も本発明に含まれる。選定処理及び／又は選択処理がない態様においては、順次未処理画像及び／又は比較画像が表示される。
【００６８】
【発明の効果】
本発明によれば、色補正の精度が向上する画像表示プログラム及び画像表示システムを提供することができる。
【図面の簡単な説明】
【図１】本発明の画像表示プログラムの処理を実現する画像表示システムの概略構成の一例を示す図
【図２】画像表示システムに用いられるコンピュータのブロック図
【図３】本発明の画像表示プログラムによって制御される図１の画像表示システムの処理フローを示す図
【図４】（ａ）は選択された比較画像を示し、（ｂ）は選定された未処理画像を示す
【図５】表示手段上の表示の一例を示す説明図
【図６】表示手段上の表示の他の一例を示す説明図
【図７】従来例を示す図
【符号の説明】
１００：コンピュータ
１：メイン制御部
２：主記憶部
３：画像入力部
４：表示制御部
５：操作入力部
６：選定処理部
７：色補正処理部
８：変更処理部
９：選択処理部
１０：外部通信部
２００：スキャナ
３００：モニタ
３０１：比較画像
３０２：処理対象画像
３０３：色補正ボタン
３０３ａ：Ｙ調整ボタン
３０３ｂ：Ｍ調整ボタン
３０３ｃ：Ｃ調整ボタン
３０３ｄ：Ｄ調整ボタン
３０３ｅ：色補正終了ボタン
４００：キーボード
５００：マウス
【図１】
2005038061.tif 000003
【図２】
2005038061.tif 000004
【図３】
2005038061.tif 000005
【図４】
2005038061.tif 000006
【図５】
2005038061.tif 000007
【図６】
2005038061.tif 000008
【図７】
2005038061.tif 000009